(57)【要約】【課題】合成磁界Ｇｓを多方向に発生させる消磁装置１を提供し、利用者の満足度を向上させる。【解決手段】コイルに電圧を印加して磁界を発生させる消磁装置１に、第１系統の第１コイル１１Ａと第２系統の第２コイル１１Ｂを磁界ＧＡ，ＧＢの向きが互いに交差する配置に備え、電流の正負が交互に入れ替わる交番電流を前記各系統のコイルに付与する交流電源１８と、前記各系統のコイル１１Ａ，１１Ｂに付与する前記交番電流の位相を異ならせる移相回路１５とを備えた。【選択図】図５
2007280487.tif 000002
【特許請求の範囲】
【請求項１】
コイルに電圧を印加して磁界を発生させる磁界発生装置であって、
前記コイルとして第１系統のコイルと第２系統のコイルを磁界の向きが互いに交差する配置に備えた
磁界発生装置。
【請求項２】
前記第１系統のコイルと第２系統のコイルとを磁界が互いに直交する配置にした
請求項１記載の磁界発生装置。
【請求項３】
第３系統のコイルを前記第１系統のコイルおよび前記第２系統のコイルと磁界方向を直交させて備えた
請求項２記載の磁界発生装置。
【請求項４】
電流の正負が交互に入れ替わる交番電流を前記各系統のコイルに付与する交番電流供給手段と、
前記各系統のコイルに付与する前記交番電流の位相を異ならせる移相手段とを備えた
請求項１、２または３記載の磁界発生装置。
【請求項５】
前記第１系統のコイルと第２系統のコイルに同一周波数の交番電流を付与する構成とし、
前記移相手段を、第１系統のコイルと第２系統のコイルとで位相を４５度異ならせる構成とした
請求項４記載の磁界発生装置。
【請求項６】
請求項１から５のいずれか１つに記載の磁界発生装置を用いて磁気記憶媒体に記憶されている磁気情報を消去する
磁気情報消去装置。
【請求項７】
請求項１から３のいずれか１つに記載の磁界発生装置を用いて磁性体を着磁する
着磁装置。
【発明の詳細な説明】
【技術分野】
【０００１】
この発明は、例えばコイルを用いて磁界を発生させるような磁界発生装置、ハードディスクなどの磁気記憶媒体に記憶された磁気情報を消去するような磁気情報消去装置、および磁性体を着磁するような着磁装置に関する。
【背景技術】
【０００２】
従来、磁気を用いて情報を記憶するハードディスクや磁気テープなどの磁気記憶媒体が提供されている。これらの磁気記憶媒体は、磁性体を磁化させてデータを記憶するものである。
【０００３】
この磁気記憶媒体が記憶している磁気情報を消去する装置として、ハードディスク装置の記録データ消去装置が提案されている（特許文献１参照）。この記録データ消去装置は、コイルの軸内にハードディスクを挿入し、このコイルに電圧を印加して磁束密度が６０００ガウスから１５０００ガウスの磁界を発生させてハードディスクに記憶された磁気情報を消去するものである。
【０００４】
また、複数のコイルを並設し、順番に電圧を印加して、前方部、中央部、後方部と順番に磁気情報を消去する磁気データ消去装置も提案されている（特許文献２参照）。この磁気データ消去装置は、２５００エルステッドを超える範囲の磁場を発生させ、この磁場で磁気情報を消去するものである。
【０００５】
しかし、上述した各特許文献は、磁界を発生させる方向を１方向とするものであり、多方向に磁界を発生させることについて考慮されていない。このため、例えばハードディスクに対して、ディスクの半径方向へ一方向の磁界を照射した場合、ディスク中心付近に設けられた回転機構の後方が影となり、磁界が照射されない部分が発生する。このように影が発生すると、その部分の磁気情報を消去することができないことになる。このように消去しきれない磁気情報が存在すると、残った磁気情報が第三者に不正に解析されて漏洩する可能性がある。  
このため、磁気記憶媒体の種類などによらず確実に磁気情報を消去することが望まれる。
【０００６】
一方、磁性体を着磁する場合、磁気の方向を一定の方向にして着磁することになる。着磁したい磁性体は種々の形状のものが存在し、また着磁する方向も様々である。このため、着磁装置に対して、磁性体をセットする方向を磁性体の種類に応じて手で調整することが必要となる。
【０００７】
しかし、磁性体を手でセットして着磁する磁界の方向を定めると、セット時の位置ずれや角度ずれによって正確な方向に着磁できないという問題点がある。
【０００８】
【特許文献１】登録実用新案第３０８８６０８号公報
【特許文献２】特開２００５−７８７１３号公報
【発明の開示】
【発明が解決しようとする課題】
【０００９】
この発明は、上述の問題に鑑み、多方向に磁界を発生させる磁界発生装置、磁気情報消去装置および着磁装置を提供し、利用者の満足度を向上させることを目的とする。
【課題を解決するための手段】
【００１０】
この発明は、コイルに電圧を印加して磁界を発生させ、該磁界によって磁気記憶媒体の磁気情報を消去する磁気情報消去装置であって、前記コイルとして第１系統のコイルと第２系統のコイルを磁界の向きが互いに交差する配置に備えた磁界発生装置であることを特徴とする。
【００１１】
前記第１系統のコイルと第２系統のコイルは、磁界が互いに直交する配置に構成されていることが好ましい。  
また、電流の正負が交互に入れ替わる交番電流を前記各系統のコイルに付与する交番電流供給手段と、前記各系統のコイルに付与する前記交番電流の位相を異ならせる移相手段とを備えることが好ましい。
【発明の効果】
【００１２】
この発明により、多方向に磁界を発生させる磁界発生装置、磁気情報消去装置および着磁装置を提供し、利用者の満足度を向上させることができる。
【発明を実施するための最良の形態】
【００１３】
この発明の一実施形態を以下図面と共に説明する。  
【実施例１】
【００１４】
図１は、実施例１の消磁装置１の斜視図を示し、図２は消磁装置１の内部構成の斜視図を示す。  
消磁装置１は、略正方形のボックス状に形成された筐体２を有しており、筐体２の正面中央に開口部４が備えられ、その右下に操作ボタン３が備えられている。
【００１５】
開口部４は、該開口部４から挿入されて筐体２の内部に収納されているトレイ５の表面カバー７によって塞がれており、この表面カバー７の中央に、手前へ突出する取っ手６が設けられている。  
筐体２の内部には、図２に示す第１系統の第１コイル１１Ａおよび第２系統の第２コイル１１Ｂが直交配置されている。この第１コイル１１Ａおよび第２コイル１１Ｂは、いずれも１．５万ガウス程度の磁界を発生させるコイルである。
【００１６】
ここで、第１コイル１１Ａは、第２コイル１１Ｂを内側に収納できるように交差部分が幅広に構成されている。そして、第１コイル１１Ａと第２コイル１１Ｂのコイル内側には磁界を発生させる空間である消磁空間Ｅが設けられており、この消磁空間Ｅにトレイ５が収納される構成となっている。このトレイ５は、上面開放のボックス状であり、内部に磁気記憶媒体収納空間９を有している。この磁気記憶媒体収納空間９に、ハードディスクやＦＤディスクなどの情報消去したい磁気記憶媒体を収納する。
【００１７】
図３は、消磁装置１の回路構成を示すブロック図である。  
消磁装置１は、交流電源１８に第１コイル１１Ａと第２コイル１１Ｂとが並列に接続されている。交流電源１８の後段で、第１コイル１１Ａと第２コイル１１Ｂとの前段側の分岐点１４より前段には、操作ボタン３の押下操作に連動してＯＮ／ＯＦＦが切り替わるスイッチ１７が設けられている。
【００１８】
分岐点１４の後段で第２コイル１１Ｂの前段には、交流電源１８から供給される交番電流（正負が交互に入れ替わる電流）の位相を４５°移す移相回路１５が設けられている。
【００１９】
以上の構成により、利用者に操作ボタン３が押下されてスイッチ１７がＯＮとなると、交流電源１８から交番電流が供給される。第１コイル１１Ａには、この交番電流がそのままの位相で入力される。また、第２コイル１１Ｂには、移相回路１５で４５°移相された交番電流が入力される。従って、図４のグラフ図に示すように、第１コイル１１Ａに流れる電流ＩＡと第２コイル１１Ｂに流れる電流ＩＢは、位相が４５°ずれている。つまり、移相回路１５がディレイ回路として機能し、電流ＩＡより電流ＩＢが４５°遅れた位相になっている。
【００２０】
ここで、図５の磁界説明図の（Ａ）に示すように第１コイル１１Ａが発生させる磁界ＧＡと、図５（Ｂ）に示すように第２コイル１１Ｂが発生させる磁界ＧＢは、互いに直交している。このため、両磁界を合成した合成磁界ＧＳは、図５（Ｃ）に示すように磁界ＧＡの方向および強度と磁界ＧＢの方向および強度を合成した磁界となる。
【００２１】
従って、図５（Ｄ）に示すように、合成磁界ＧＳの照射方向をタイミングＴ０〜Ｔ４に示すように３６０度全方位に連続的に変化させながら磁界を照射できる。これにより、例えば磁気情報を消去したい磁気記憶媒体がハードディスクであった場合、ディスクの回転中心部付近に回転機構の影となって磁気情報を消去しきれない部分が残ることがなく、死角をなくして確実に磁気情報を消去することができる。また、ハードディスクの磁気記憶方式が、ディスクの円周に沿って磁気を記憶する水平方式や、ディスクの円周に直交する方向に磁気を記憶する垂直方式のいずれであっても、３６０°全方位に磁気を照射することで磁気情報を確実に消去することができる。
【００２２】
第１コイル１１Ａと第２コイル１１Ｂは、磁界の方向を交差させて配置しておけば、交番電流によって多方向への合成磁界ＧＳを発生させることができるが、本実施例では第１コイル１１Ａと第２コイル１１Ｂの磁界方向を直行させているため、合成磁界ＧＳの方向を効率良く３６０°全方向に変化させることができる。  
また、第１コイル１１Ａと第２コイル１１Ｂには、同一周波数の交番電流を付与しているため、合成磁界ＧＳの方向を安定して変化させることができる。
【実施例２】
【００２３】
実施例１では、第１系統の第１コイル１１Ａと第２系統の第２コイル１１Ｂをそれぞれ１つのコイルで構成したが、各系統についてそれぞれ複数のコイルを組み合わせて構成した場合について説明する。この場合、図６（Ａ）の配置説明図、および図６（Ｂ）の磁界説明図に示すように、各系統でコイル１１Ａ，１１Ｂを磁気的に直列配置して構成すると良い。
【００２４】
またこのときの回路構成は、図７のブロック図に示すように、第１系統と第２系統を電気的に並列接続した上で、各系統内でさらにコイル１１（１１Ａ，１１Ｂ）を電気的に並列接続すると良い。  
他の構成については実施例１と同一であるので、その詳細についての説明を省略する。
【００２５】
このように構成した場合でも、実施例１と同一の効果を得ることができる。  
そのうえ、コイル１１に供給する電力の容量を小さくすることもできる。つまり、１つの系統を１つのコイル１１で構成した場合であれば、強力な磁力を発生させるためにコイル１１に大容量の電力を供給する必要がある。しかし、複数の小さなコイル１１を磁気的に直列配置して構成することにより、各コイル１１に小容量の電力を供給すれば、直列配置された各コイル１１の磁力が合成されて強力な磁力を得ることができる。
【実施例３】
【００２６】
実施例１では第１系統と第２系統の２系統とし、二次元平面上で磁界の方向が３６０°回転する構成にしたが、図８の説明図の（Ａ）〜（Ｃ）に示すように第３系統の第３コイル１１Ｃを備え、３方向に磁界を照射する３系統のコイル１１（１１Ａ，１１Ｂ，１１Ｃ）を備えても良い。この場合、図９（Ａ）に示すように、各コイル１１はＸ軸、Ｙ軸、Ｚ軸方向にそれぞれの磁界ＧＡ，ＧＢ，ＧＣを照射すると良い。
【００２７】
この場合、電気回路的にはコイル１１Ａ，１１Ｂと並列にコイル１１Ｃを備えると良い。また、コイル１１Ａ，１１Ｂには、コイル１１Ａ，１１Ｂの合成磁界ＧＳの強度が変化するように、実施例１で説明した各位相の周波数での交番電流を最大電流となるピーク値を周期毎に変化させるピーク値変換回路を備えるとよい。  
その他の構成については、実施例１と同一であるので、その詳細な説明を省略する。
【００２８】
以上の構成により、図９（Ａ），（Ｂ）に示すように、磁界ＧＡ，ＧＢ，ＧＣの強さをそれぞれ変化させて、これらの合成磁界ＧＳの方向を３次元で自由に変化させることができる。
【００２９】
そして、この合成磁界ＧＳの方向を、３次元で球形に変化させることもできる。詳述すると、第１系統の第１コイル１１Ａと第２系統の第２コイル１１Ｂとの合成磁界は、磁界方向が２次元平面状で３６０°回転する。この３６０°回転する磁界の強度は、ピーク値変換回路によって変化させられる。そして、このように変化する磁界の方向を第３系統の第３個いる１１ＣによってＺ軸方向にも変化させるため、全ての系統の合成磁界は、３次元で球形を描くように方向を変化させることができる。
【００３０】
なお、以上の各実施形態では、電流の正負が連続的に変化する交流電源を用いて説明したが、コンデンサを使用して直流電源を用いて構成してもよい。この場合、電流の正負が異なる単発の直流を適宜の周期でコイル１１に付与すれば良い。このように直流を用いる場合、コンデンサとコイル１１とが共振回路を構成するため、コイル１１に流れる電流は正逆に入れ替わりながら時間の経過につれて波高値が徐々に低下する減衰交番電流となる。このため、コイル１１により発生する磁界は、磁極が正逆交互に入れ替わりながら磁束密度が徐々に低下する減衰交番磁界となる。このように直流を用いて構成しても、各コイル１１から発生させる磁界を合成した合成磁界の方向を種々の方向に変化させることができる。
【００３１】
また、実施例１〜３は消磁装置１として利用したが、この消磁装置１を、１パルスの電圧を前記コイル１１に付与して磁性体を着磁させる着磁装置として利用しても良い。この場合、磁界を発生させたい方向の入力を受け付ける入力手段と、入力された内容を表示する表示手段と、各系統のコイル１１に付与する電圧の強度や電流の方向を制御する制御手段を備えるとよい。
【００３２】
入力手段は、タッチパネルやテンキーなどの適宜の装置で構成すればよく、表示手段は液晶ディスプレイやデジタル表示板などで構成すればよく、制御手段はＣＰＵやマイクロチップ等で構成すればよい。
【００３３】
そして、制御手段は、入力手段で入力された内容を表示手段に表示する制御と、入力手段で入力された内容に従って交流電源１８から各コイル１１に付与する電圧および電流を決定する制御を実行すればよい。
【００３４】
これにより、利用者は、トレイ５の磁気記憶媒体収納空間９に着磁したい磁性体を収納し、入力手段で各コイル１１に付与する電圧の強さと電流の向きを着磁したい方向と強度に設定し、操作ボタン３を押下すれば、磁性体を任意の方向で任意の強度に着磁することができる。着磁する方向を設定するに際して、磁性体の置く方向を手で調整するといった必要がないため、磁性体を正確な磁界方向で確実に着磁することができる。
【００３５】
この発明の構成と、上述の実施形態との対応において、
この発明の磁界発生装置、磁気情報消去装置、および着磁装置は、実施形態の消磁装置１に対応し、
以下同様に、
第１系統のコイルは、第１コイル１１Ａに対応し、
第２系統のコイルは、第２コイル１１Ｂに対応し、
第３系統のコイルは、第３コイル１１Ｃに対応し、
移相手段は、移相回路１５に対応し、
交番電流供給手段は、交流電源１８に対応し、
磁界の向きは、磁界ＧＡ，ＧＢ，ＧＣに対応するも、
この発明は、上述の実施形態の構成のみに限定されるものではなく、多くの実施の形態を得ることができる。
【図面の簡単な説明】
【００３６】
【図１】実施例１の消磁装置の斜視図。
【図２】実施例１の消磁装置の内部構成の斜視図。
【図３】実施例１の消磁装置の回路構成を示すブロック図。
【図４】実施例１の電流のグラフ図。
【図５】実施例１のコイルの磁界説明図。
【図６】実施例２のコイルの説明図。
【図７】実施例２の消磁装置の回路構成を示すブロック図。
【図８】実施例３のコイルの説明図。
【図９】実施例３の磁界の説明図。
【符号の説明】
【００３７】
１…消磁装置
１１Ａ…第１コイル
１１Ｂ…第２コイル
１１Ｃ…第３コイル
１５…移相回路
１８…交流電源
ＧＡ，ＧＢ，ＧＣ…磁界
【図１】
2007280487.tif 000003
【図２】
2007280487.tif 000004
【図３】
2007280487.tif 000005
【図４】
2007280487.tif 000006
【図５】
2007280487.tif 000007
【図６】
2007280487.tif 000008
【図７】
2007280487.tif 000009
【図８】
2007280487.tif 000010
【図９】
2007280487.tif 000011